(57)【要約】      （修正有）【課題】識別リング付きねじ回しヘッド改良構造を提供する。【解決手段】アルミニウム合金識別リング２０は、ヘッド部１３より外部に突出した外環面があるものであり、陽極酸化処理で形成されたアルミニウム合金識別リング２０の表面にある保護膜層が備わっており、アルミニウム合金識別リング２０の外環面に形成された錐状環面４０が備わっており、前記錐状環面４０は、ねじ回しヘッド本体Ａの差込側方向にテーパ形に設けられていることを特徴とする識別リング付きねじ回しヘッド改良構造であり、ねじ回しヘッドＡは、色落ちしにくく、識別効果が長く持続し、端部からの識別度が向上し、短いねじ回しヘッドＡは、アルミニウム合金識別リング２０付きという前提で、同様に深く差し込まれ、予定の位置固定効果が得られることになり、ねじ回しヘッドを安定に取ることができ、手で取りやすい等の効果がある。【選択図】  図１
0003148534.tif 000002
【実用新案登録請求の範囲】
【請求項１】
差込側１１、作用側１２及び前記差込側１１と作用側１２との間に配置されたヘッド部１３からなるねじ回しヘッド本体１０が備わっており、  
前記ねじ回しヘッド本体１０のヘッド部１３に嵌め合うための嵌め孔２１を有するアルミニウム合金識別リング２０が備わっており、前記アルミニウム合金識別リング２０は、前記ヘッド部１３より外部に突出した外環面２２があるものであり、
陽極酸化処理で形成された前記アルミニウム合金識別リング２０の表面にある保護膜層３０が備わっており、前記保護膜層３０は明るい光沢と耐腐食性を持つもので、それにより、識別と保護作用が達成されることを特徴とする識別機能付きねじ回しヘッドＡ構造。
【請求項２】
前記アルミニウム合金識別リング２０において、前記ねじ回しヘッド本体１０の差込側１１に近接する嵌め孔２１の側には、拡大孔２３が形成されることを特徴とする請求項１に記載の識別機能付きねじ回しヘッドＡ構造。
【請求項３】
前記ねじ回しヘッド本体１０の長さは、２５ｍｍの短い規格でよいが、前記差込側１１は六角形の断面に、前記作用側１２は円形の断面に設けられ、それにより、前記該ヘッド部１３を前記作用側１２に近い円形の断面に設け、更に前記アルミニウム合金識別リング２０の嵌め孔２１を前記ヘッド部１３にしっかり嵌められる丸い孔に設けることを特徴とする請求項１に記載の識別機能付きねじ回しヘッドＡ構造。
【請求項４】
前記アルミニウム合金識別リング２０の外環面２２には、錐状環面４０が形成され、前記錐状環面４０は、前記ねじ回しヘッド本体１０の差込側１１方向にテーパ形に設けられることを特徴とする請求項１に記載の識別機能付きねじ回しヘッドＡ構造。
【請求項５】
前記アルミニウム合金識別リング２０において、前記ねじ回しヘッド本体１０の作用側１２に近い側には、孔径縮小凸環７０が形成され、それにより、アルミニウム合金識別リング２０の当該端面の面積が縮小されることを特徴とする請求項１に記載の識別機能付きねじ回しヘッドＡ構造。
【考案の詳細な説明】
【技術分野】
【０００１】
本考案は、ねじ回しヘッドに関し、特に識別機能を有するねじ回しヘッドに関わる。  
【背景技術】
【０００２】
いまの工業化社会は、日常生活や仕事の場で、固定ネジで締め付けた製品部品が多いために、ネジを緩めたり、締めたりするときにねじ回し道具がよく使用されるが、ねじの規格が不一致し、寸法が多いことを鑑みて、ユーザのニーズに対応するために、業界の中で一つのホルダーに複数のヘッド部分が交換可能なねじ回しのセットが考案された。
【０００３】
上述の複数のねじ回しヘッドセットは、道具箱に収納されたとき、メートル法やヤードポンドの単位系、又は寸法の違いなどにより、使用の時、ユーザがそれを混同して識別困難になる問題点を解決するために、識別付きねじ回しヘッドの構造設計が次々と開発されたが、従来の構造設計の中でよく見られるのは、ねじ回しヘッドのヘッド部に色塗り、プラスチック製リングの嵌めなどをして、色付きの環面部を形成することにより、容易に識別できる効果を達成させるようにするが、但し、これらの従来の構造を実施した経験から、色塗った構造は、使用の時、ユーザの手による摩擦で色が落ち、薄くなり、識別機能が早く無くなるという欠点、また、プラスチック製リングを嵌めた構造は、プラスチック製リングの硬化、削り傷などにより、容易に取れて、識別機能がなくなるという欠点があるところが分かった。その上、これらの従来のねじ回しヘッドの識別付き構造は使用の時、識別部をねじ回しヘッド側から見た場合、識別度がよいが、識別構造は通常ねじ回しヘッドヘッド部に隠されたので、それをねじ回しヘッドの端部から見た場合、なかなか識別することができなく、そこで、ねじ回しヘッドは工具箱に収納されるとき、縦向きに差し込まれる状態が多く、そういう差込まれた状態だと、ユーザはねじ回しヘッドを取り出すとき、ねじ回しヘッドの端部から見て行うということになっており、それゆえ、上述の従来の識別構造の設計は、識別度が悪いという欠点が残されている。
【０００４】
上述の従来のねじ回しヘッドの識別構造に存在する問題点について、より理想で実用性のあるオリジナル構造を開発するのが、望まれていた。
【０００５】
それを鑑みて、本考案は、関連製品に関する製造と設計に携わる経験を長年持っており、上述の目標について詳しく設計、慎重に評価したうえ、ようやく実用性のある本考案を得ることができた。
【考案の開示】
【考案が解決しようとする課題】
【０００６】
本考案の主要目的は、識別機能付きねじ回しヘッド構造を提供し、解決しようとする課題は、従来のねじ回しヘッドの識別構造に存在する脱落しやすく、識別度が悪いという問題点を改良、突破することである。
【課題を解決するための手段】
【０００７】
本考案の課題を解決しようとする技術特徴として、差込側、作用側とヘッド部からなるねじ回しヘッド本体が備わっており、前記ねじ回しヘッド本体のヘッド部に嵌め合うための嵌め孔を有するアルミニウム合金識別リングが備わっており、前記アルミニウム合金識別リングは、前記ヘッド部より外部に突出した外環面があるものであり、陽極酸化処理で形成された前記アルミニウム合金識別リングの表面にある保護膜層が備わっており、識別と保護作用が達成されるために、前記保護膜層は明るい光沢と耐腐食性を持つものであり、前記アルミニウム合金識別リングの外環面に形成された錐状環面が備わっており、前記錐状環面は、前記ねじ回しヘッド本体の差込側方向にテーパ形に設けられていることを特徴とする前記ねじ回しヘッドであり、このようなオリジナルな設計により、本考案は大抵、次のような効果が達成される。
【０００８】
その一、色落ちしにくく、識別効果が長く持続し、端部からの識別度が向上し、識別效果が大幅に向上するという実用性と進歩性があること。
【０００９】
そのニ、短いねじ回しヘッドの使用に対応するために、前記アルミニウム合金識別リングの外環面の片側に錐状環面を設けることにより、前記アルミニウム合金識別リングの一部が工具のねじ回しヘッドのスロットに深く入り込むことができることになり、短いねじ回しヘッドは、アルミニウム合金識別リング付きという前提で、その差込側は同様に深く差し込まれ、大きいねじ回しヘッドと同じ位置固定効果が得られること。
【００１０】
その三、指で前記ねじ回しヘッド本体の差込側を取るとき、その指はちょうど前記錐状環面に触れるため、ねじ回しヘッドを安定に取ることができ、手で取りやすく、脱落しにくいのである。
【考案の効果】
【００１１】
本考案で、効果向上の事実は次の通りである。
１．  本考案に掲示したねじ回しヘッドにおいて、その表面に陽極酸化処理で形成された保護膜層のアルミニウム合金識別リングにより、識別効果が生じることになるが、そのアルミニウム合金構造は、丈夫耐用で、容易に変形しないものであり、前記保護膜層は、明るい光沢と耐腐食性を持つであるため、ねじ回しヘッドの識別構造は色落ちしにくく、識別效果がより長く持続、耐用する。前記アルミニウム合金識別リングの外環面は、ねじ回しヘッド本体のヘッド部より著しく外部に突出する形態となり、ユーザがねじ回しヘッドの端部から見ても、前記アルミニウム合金識別リングがすぐ分かることができ、端部からの識別度が向上、ねじ回しヘッドの識別效果が大幅に向上する実用性、進歩性があることである。
２．  短いねじ回しヘッドの使用に対応するために、前記アルミニウム合金識別リングの外環面の片側に錐状環面を設けることにより、前記アルミニウム合金識別リングの一部が工具のねじ回しヘッドのスロットに深く入り込むことができることになり、短いねじ回しヘッドは、アルミニウム合金識別リング付きという前提で、その差込側は同様に深く差し込まれ、大きいねじ回しヘッドと同じ位置固定効果が得られること。
３．  指で前記ねじ回しヘッド本体の差込側を取るとき、その指はちょうど前記錐状環面に触れるため、ねじ回しヘッドを安定に取ることができ、手で取りやすく、脱落しにくいという実用性、進歩性があることである。
本考案で生じる新効果は次の通りである。
【００１２】
前記アルミニウム合金識別リングにおいて、前記ねじ回しヘッド本体の作用側に近い側に孔径縮小凸環が形成されるというオリジナルな設計により、アルミニウム合金識別リングの端面面積が縮小され、そこで、複数のアルミニウム合金識別リングが重なって表面の陽極酸化処理が行われたとき、アルミニウム合金識別リング間の端面が相互に接触する面積は大幅に減少され、処理用薬剤が十分に接触し、反応するようになり、それに伴い、その陽極酸化処理の最終結果が向上され、前記アルミニウム合金識別リングの保護膜層が最適でかつ最も十分な被覆効果が達成されることになること。
【考案を実施するための最良の形態】
【００１３】
図１〜図３は、本考案の識別機能付きねじ回しヘッド構造の好適な実施例であり、これらの実施例は説明のみに用いられるもので、それらに制限されない。
【００１４】
差込側１１、作用側１２及び前記差込側１１と作用側１２との間に配置されたヘッド部１３からなるねじ回しヘッド本体１０が備わっており、
前記ねじ回しヘッド本体１０のヘッド部１３に嵌め合うための嵌め孔２１を有するアルミニウム合金識別リング２０が備わっており、前記アルミニウム合金識別リング２０は、前記ヘッド部１３より外部に突出した外環面２２があるものであり、
陽極酸化処理で前記アルミニウム合金識別リング２０の表面に形成された保護膜層３０（図３）が備わっており、識別と保護作用が達成されるために、前記保護膜層３０は明るい光沢と耐腐食性を持つものであり、
前記アルミニウム合金識別リング２０の外環面２２の片側に形成された錐状環面４０が備わっており、前記錐状環面４０は、前記ねじ回しヘッド本体１０の差込側１１方向にテーパ形に設けられ、しかも、前記テーパ形側４１の外径の大きさは、前記ねじ回しヘッド本体１０の差込側１１と同じ又はそれより小さいものであることを特徴とする前記ねじ回しヘッドＡである。
【００１５】
図４に示すように、前記アルミニウム合金識別リング２０の嵌め孔２１は、前記ねじ回しヘッド本体１０の差込側１１に近接した部位に拡大孔２３が形成され、それにより、前記アルミニウム合金識別リングが容易にねじ回しヘッド本体１０のヘッド部１３にうまく嵌められるという長所がある。また、前記アルミニウム合金識別リング２０は円筒状で、前記ねじ回しヘッド本体１０のヘッド部１３は六角形の場合、前記ヘッド部１３に緊密に嵌められるための前記アルミニウム合金識別リング２０は、前記アルミニウム合金識別リング２０が嵌められた後、前記嵌め孔２１の孔壁から高度な摩擦によるアルミ二ウム屑が発生することになるが、前記アルミ二ウム屑が片側に押されたとき、外部に露出されず前記拡大孔２３で形成された間隔空間に収納されるため、そこで、前記アルミニウム合金識別リング２０の外観の見ためをきれいに保つことができる。
【００１６】
前記ねじ回しヘッド本体１０の長さは、２５ｍｍの短い規格でよいが、前記差込側１１は六角形の断面に、前記作用側１２は円形の断面に設けられ、それにより、前記ヘッド部１３を前記作用側１２に近い円形の断面に設け、更に前記アルミニウム合金識別リング２０の嵌め孔２１を前記ヘッド部１３にしっかり嵌められる丸い孔に設けることを特徴とするものであり、本考案は短いねじ回しヘッドの製品に実施された場合、前記アルミニウム合金識別リング２０の外環面２２の片側に錐状環面４０が設けられており、そこで、前記アルミニウム合金識別リング２０の一部が工具ジョイント５０（又はその他の工具）のねじ回しヘッドのスロット５１に深く入り込むことができるため、短いねじ回しヘッドは、前記アルミニウム合金識別リング２０付きという前提で、前記差込側１１は同様に深く差し込まれ、大きいねじ回しヘッドと同じ位置固定効果が得られるのであり、なお、前記錐状環面４０を設けるには、図６に示すように、指で前記ねじ回しヘッド本体１０の差込側１１を取るとき、その指はちょうど前記錐状環面４０に触れるため、ねじ回しヘッドを安定に取ることができ、手で取りやすく、脱落しにくいというもう一つの長所がある。
【００１７】
図４に示すねじ回しヘッド本体１０は、３０ｍｍの長さ規格の形態であり、前記ねじ回しヘッド本体１０の差込側１１は六角形の断面に、前記作用側１２は円形の断面に、また、前記ヘッド部１３Ｂは前記差込側１１に近い六角形の断面に設け、更に前記アルミニウム合金識別リング２０の嵌め孔２１を前記ヘッド部１３Ｂにしっかり嵌められる丸い孔又は六角孔に設けられることを特徴とするものである。
【００１８】
前記アルミニウム合金識別リング２０の外環面２２には、環状凹縁６０が形成され、前記環状凹縁６０は単一又は間隔に置かれた複数の形態でよいが、それにより、よりよい摩擦力による滑り止め効果が得られ、手で取るのに役立てるのである。
【００１９】
前記アルミニウム合金識別リング２０において、前記ねじ回しヘッド本体１０の作用側１２に近い側には、孔径縮小凸環７０が形成され、そにより、前記アルミニウム合金識別リング２０の当該端面の面積が縮小されることになるが、このような設計は、前記アルミニウム合金識別リング２０の表面に形成された陽極酸化処理による保護膜層３０の構造設計に対応するためであり、図７に示すように、前記アルミニウム合金識別リング２０の表面に陽極酸化処理を行うとき、より多くの数量を処理するために、通常は複数のアルミニウム合金識別リング２０を縦向きに治具８０に置くことになるが、その時、アルミニウム合金識別リング２０間の端面が相互に接触し、その接触した部位は薬剤の分布状況に影響することになり、それで、前記孔径縮小凸環７０の設計により、アルミニウム合金識別リング２０間の端面が相互に接触する面積は大幅に減少され、処理用薬剤が十分に接触し、反応するようになり、それに伴い、その陽極酸化処理の最終結果が向上され、前記アルミニウム合金識別リング２０の保護膜層３０が最適でかつ最も十分な被覆効果が達成されることになる。
【００２０】
図３に示すように、前記ねじ回しヘッド本体１０のヘッド部１３には孔径縮小セクションの形成による止め縁部１４が形成され、それにより、前記アルミニウム合金識別リング２０の片側が前記止め縁部１４に突くようになる。
【００２１】
図８に示すように、前記アルミニウム合金識別リング２０の嵌め孔２１の開き口側に縮口部２４が形成され、それに合わせるために、前記ねじ回しヘッド本体１０のヘッド部１３に孔径縮小部１３１が設けられ、前記孔径縮小部１３１と前記縮口部２４との断面形状が合うようにする（例えば、何れも円形の断面形状の場合）。
【００２２】
上述の実施例に掲示した内容は、本考案を具体的に説明するものであり、文中で特定な専門用語を使って、説明してきたが、それを持って本考案を制限してはならず、この技術分野の分かる者は、本考案のコンセプトや考えを理解したうえ、その改造や変更などをしてそれと同等な効果を得たとしても、それらの改造や変更などは、すべて実用新案登録請求の範囲に含まれるものである。
【図面の簡単な説明】
【００２３】
【図１】本考案の好適な実施例の組合立体図。
【図２】本考案の好適な実施例の分解立体図。
【図３】本考案の好適な実施例の一部組合断面図。
【図４】本考案におけるねじ回しヘッド本体ヘッド部のもう一つの実施例図。
【図５】本考案の使用状態イメージ一。
【図６】本考案の使用状態イメージ二。
【図７】本考案のアルミニウム合金識別リングの片側に設けられた、陽極酸化処理に役立つ孔径縮小凸環のイメージ。
【図８】本考案の構造形態のもう一つの実施例図。
【符号の説明】
【００２４】
Ａ    ねじ回しヘッド
１０  ねじ回しヘッド本体
１１  差込側        
１２  作用側
１３，  １３Ｂヘッド部
１３１    孔径縮小部    
１４  止め縁部
２０    アルミニウム合金識別リング
２１  嵌め孔
２２      外環面      
２３  拡大孔
２４  縮口部
３０  保護膜層
４０    錐状環面
４１  テーパ形側
５０    工具ジョイント      
５１  ねじ回しヘッドのスロット
６０  環状凹縁
７０    孔径縮小凸環
８０  治具
【図１】
0003148534.tif 000003
【図２】
0003148534.tif 000004
【図３】
0003148534.tif 000005
【図４】
0003148534.tif 000006
【図５】
0003148534.tif 000007
【図６】
0003148534.tif 000008
【図７】
0003148534.tif 000009
【図８】
0003148534.tif 000010